(57)【要約】【課題】  回転カム式繰出機構を有する筆記具においてリフィールを収納する際の衝撃を緩和する。【解決手段】  軸筒（３）内にストッパー（６）を設け、このストッパー（６）の前方に、回転カム式繰出機構の外カム（９）及び案内カム（１７）を設ける。回転カム（１０）は、リフィール（１）に取り付けられ、後端に弾性的に伸縮可能な緩衝片（２５）を有している。上記リフィール（１）がばね（８）の作用で後退するとき、上記回転カム（１０）は緩衝片（２５）がストッパー（６）に当って弾性的に後退動が阻止される。上記リフィール（６）の筆記先端は、収納時にエアタイトスリーブ（２７）により気密的に保持される。【選択図】      図１
2005193585.tif 000002
【特許請求の範囲】
【請求項１】
軸筒内に軸方向に移動可能にかつ回転可能に設けた回転カムと、該回転カムの軸方向への移動を規制しかつ回転カムを回転させる外カムと、上記回転カムが前進して外カムから外れたとき該回転カムを回転させる案内カムを含む回転カム式繰出機構を有し、収納位置方向に付勢されているリフィールを該回転カム式繰出機構により筆記位置と収納位置に移動させるようにした筆記具において、上記軸筒の内面に上記案内カムと外カムを形成し、該外カム内に回転カムを挿入し該回転カムにリフィールを取り付け、上記収納位置で該回転カムの後退動を阻止するよう上記外カムの後方にストッパーを設け、上記回転カムの後端に該ストッパーに当接する緩衝部材を設けたことを特徴とする筆記具。
【請求項２】
上記回転カムは、プラスチック材料で作られ、上記緩衝部材は、上記回転カムと一体的に形成した伸縮可能な緩衝片である請求項１に記載の筆記具。
【請求項３】
上記軸筒内に上記リフィールの筆記先端を取り囲むよう前後動可能にエアタイトスリーブを設け、該エアタイトスリーブの前端開口部を開閉するよう該エアタイトスリーブの前端に蓋体を形成し、該蓋体の背面に押圧リブを設け、上記エアタイトスリーブが前進するとき上記蓋体を開放できるよう上記押圧リブが嵌入する窓孔を軸筒に形成し、上記エアタイトスリーブが後退するとき該蓋体を閉鎖位置に移動するよう上記押圧リブが摺動する摺動面を軸筒の内面に形成し、上記押圧リブ及び蓋体を硬質プラスチック等の硬質材料で形成すると共に上記エアタイトスリーブの少なくとも前端開口部を軟質プラスチック、エラストマー等の軟質材料で形成したことを特徴とする請求項１または２に記載の筆記具。
【請求項４】
上記押圧リブ及び蓋体を含む筒状のエアタイトホルダーを形成し、該エアタイトホルダーを嵌入できるようエアタイトスリーブ本体を軟質材料で作り、該エアタイトスリーブ本体の外周に上記エアタイトホルダーを嵌着して固定した請求項３に記載の筆記具。
【請求項５】
上記押圧リブ及び蓋体を含む板状のエアタイトプレートを形成し、該エアタイトプレートを止着できるようエアタイトスリーブ本体を軟質材料で作り、該エアタイトスリーブの外側面に上記エアタイトプレートを固定した請求項３に記載の筆記具。
【発明の詳細な説明】
【技術分野】
【０００１】
本発明は、回転カム式繰出機構によりリフィールを筆記位置と収納位置に移動させるようにした筆記具に関し、特に蒸発しやすい筆記成分を含むリフィールを有する筆記具に好適な筆記具に関するものである。
【背景技術】
【０００２】
筆記具の回転カム式繰出機構は種々知られているが、基本的には、外カムと回転カムと案内カムを有し、回転カムは軸方向に移動可能にかつ回転可能に設けられ、外カムは該回転カムの軸方向への移動を規制すると共に該回転カムに回転を与え、また案内カムは上記回転カムが外カムから外れたときに該回転カムに回転を与える機能を有している。そして、通常、上記外カムを軸筒の内面に形成し、上記案内カムを前部に形成したノック体の後部を軸筒の後端から突出し、該ノック体をノック操作することにより上記回転カムを介して上記リフィールを筆記位置に前進させたり、収納位置に後退させたりできるように構成されている（例えば、特許文献１参照）。
【０００３】
従来のこの種の筆記具は、リフィールを後方に付勢するばねを有し、このばねの作用でリフィールを収納位置に後退させるように構成されているから、確実に後退させるためには該ばねの弾性作用を大きくしなければならない。そのように弾性作用を大きくすると、後退動を停止させる部位に大きな衝撃が作用し、破損を生じることがあり、また組立時に必要以上の負荷がかかり、作業効率も悪くなる。
【０００４】
また、リフィールの筆記成分が蒸発しやすい物質であるときは、リフィールの筆記先端を気密にシールするように構成されているが、上記のようにリフィールを収納位置に後退させるときに大きな衝撃が発生すると、シールが不確実になることもあった。
【特許文献１】特許第３０２７１３３号公報（図面）
【発明の開示】
【発明が解決しようとする課題】
【０００５】
本発明の解決課題は、回転カム式繰出機構を有する筆記具において、リフィールを収納する際の衝撃を和らげ、部品点数が少なく、筆記先端のシールも確実にできるようにした筆記具を提供することである。
【課題を解決するための手段】
【０００６】
本発明によれば、軸筒内に軸方向に移動可能にかつ回転可能に設けた回転カムと、該回転カムの軸方向への移動を規制しかつ回転カムを回転させる外カムと、上記回転カムが前進して外カムから外れたとき該回転カムを回転させる案内カムを含む回転カム式繰出機構を有し、収納位置方向に付勢されているリフィールを該回転カム式繰出機構により筆記位置と収納位置に移動させるようにした筆記具において、上記軸筒の内面に上記案内カムと外カムを形成し、該外カム内に回転カムを挿入し該回転カムにリフィールを取り付け、上記収納位置で該回転カムの後退動を阻止するよう上記外カムの後方にストッパーを設け、上記回転カムの後端に該ストッパーに当接する緩衝部材を設けたことを特徴とする筆記具が提供され上記課題が解決される。
【０００７】
また、本発明の上記筆記具の緩衝部材は、回転カムと一体的に形成した伸縮可能な緩衝片であり、上記リフィールの筆記先端にはエアタイトスリーブが設けられ、該エアタイトスリーブの前端開口部を軟質プラスチック等の軟質材料で作り、該前端開口部を開閉する蓋体を硬質プラスチック等の硬質材料で構成することにより上記課題を解決することができる。
【発明の効果】
【０００８】
本発明は上記のように構成され、回転カムの後端に緩衝部材を設けてストッパーに当接するようにしたので、リフィールを後方に付勢しているばねの弾性作用を大きくしても、リフィールを収納する際に生じる衝撃力を小さくすることができ、破損等を生じにくくでき、また上記緩衝部材を回転カムと一体的な伸縮可能な緩衝片で構成すると部品点数も少なく、組み立ても容易で、経済的である。
【０００９】
その上、上記リフィールを収納した際に筆記先端をシールするようエアタイトスリーブを設け、該エアタイトスリーブの前端開口部を軟質プラスチック等の軟質材料で作り、該前端開口部を開閉する蓋体を硬質プラスチック等の硬質材料で構成すると、蓋板の押圧力やリフィールの付勢力を低減することができ、上記リフィールを後退時に衝撃を和らげつつ移動させるようにしても上記蓋体を前端開口部に弾性的に圧着して確実にシールすることができる。
【発明を実施するための最良の形態】
【００１０】
図１は本発明の一実施例を示し、各種のリフィール、例えばマーカー、水性インキペン、水性ボールペン、修正ペン、蛍光ぺンその他の蒸発しやすい筆記成分を含むリフィール（１）を有する筆記具（２）が示されており、該リフィール（１）を収納した軸筒（３）の先端には、通孔（４）を有する先具（５）が連結されている。
【００１１】
上記軸筒（３）内には、ストッパー（６）が形成され、該ストッパー（６）とリフィール（１）の肩部（７）間にばね（８）を設けて、上記リフィール（１）を後方に付勢してあり、該ストッパー（６）の前方には回転カム式繰出機構を構成する外カム（９）が形成されている。該外カム（９）は、公知のように、回転カム（１０）の軸方向の移動を規制するよう軸方向に延びる深さの深いカム溝（１１ａ）と浅いカム溝（１１ｂ）を交互に有し、前端に回転カム（１０）を回転するための山形状のカム面（１２）が形成され、上記軸筒（３）の前部内面に一体的に設けられているが、別体の略筒状体に形成して上記軸筒内に固定するようにしてもよい（図示略）。
【００１２】
上記回転カム（１０）は、上記軸筒内で軸方向に移動可能にかつ回転可能に設けられ、上記外カム（９）内に挿入できる外径を有する略円筒状に形成され、内面に上記リフィール（１）の首部（１３）に嵌合する連結部（１４）を有している。該回転カム（１０）の外周には、図２に示すように上記外カム（９）のカム溝（１１ａ）、（１１ｂ）に係合する突起（１５）が設けられ、該突起（１５）の後端には上記外カム（９）のカム面（１２）に係合する傾斜カム面（１６）が設けられている。また、該回転カム（１０）の前部には、案内カム（１７）に係合する前端カム面（１８）が設けられている。
【００１３】
上記回転カム（１０）の連結部（１４）は、リフィール（１）の筆記先端（１９）側から首部（１３）まで挿入できるよう弾性的に拡開可能に形成され、上記首部（１３）まで挿入したとき上記リフィール（１）に形成したフランジ（２０）に前端縁（２１）が係合し、内方肩部（２２）に基端縁（２３）が係合する。なお、該回転カム（１０）はリフィールに嵌合した状態で回転できるよう該リフィールに遊嵌しているが、該リフィールに固定的に設けたり、該リフィールと一体的に形成してもよい。
【００１４】
上記回転カム（１０）の後端には、緩衝部材（２４）を設けてあり、それにより該回転カムが上記ストッパー（６）に当接する際の衝撃を緩和するようにしてある。該緩衝部材としては、別体のばね等を用いることもできるが、好ましくは図に示すようにプラスチック材料で回転カムを成形する際に後部に筒状体を作り、その一部にスリットや切欠き等を形成し軸方向に弾性作用をもって伸縮可能な緩衝片（２５）を一体的に設けるとよい。このような一体的な緩衝片（２５）を回転カムに設けると、部品点数が少なくなり、製造が簡単で、組み立てが容易となる。
【００１５】
上記先具（５）の後端には、上記回転カム（１０）の前方に位置するよう案内カム（１７）が一体的に形成されている。該案内カム（１７）は、上記回転カム（１０）の突起（１５）が外カムのカム溝（１１ａ）、（１１ｂ）から外れたとき、該回転カム（１０）の前端カム面（１８）が当って該回転カム（１０）を回転させるよう山形状のカム面（２６）を有している。該カム面（２６）は、回転カム（１０）を所定角度づつ回転させるよう上記外カム（９）のカム面（１２）に対向する部位に固定的に位置している。
【００１６】
上記構成により、収納位置で軸筒（３）の後端から突出しているリフィール（１）を直接若しくは該リフィールの後部に取り付けた適宜の操作片（図示略）を介して前方にノックすると、回転カム（１０）の突起（１５）は外カム（９）の深いカム溝（１１ａ）から外れ、上記案内カム（１７）に当って回転カムは回転され、ノックを止めると上記突起（１５）は外カム（９）の浅いカム溝（１１ｂ）に係合し、リフィール（１）は筆記先端（１９）が通孔（４）から突出して筆記位置に保持される。その状態でリフィール（１）をノックすると、上記回転カム（１０）は上述のように回転し、ノックを止めると上記突起（１５）は外カム（９）の深いカム溝（１１ａ）に係合し、リフィール（１）は収納位置に後退する。この後退動の際、上記回転カム（１０）の後端は上記ストッパー（６）に当
るが、その衝撃は緩衝部材（２４）によりクッション距離（Ａ）の範囲内で緩和される。
【００１７】
上記リフィールの筆記成分が蒸発性でないボールペンやシャープペンシルの場合は上記構成でよいが、蒸発性の場合には、上記先具（５）内にリフィールの筆記先端（１９）をを取り囲むようエアタイトスリーブ（２７）を設けることが好ましい。該エアタイトスリーブ（２７）は、前後動可能に設けられ、前端開口部（２８）を開閉する蓋体（２９）を有し、リフィール（１）が筆記位置に移動するとき該蓋体（２９）を開放し、収納位置に移動するとき該蓋体（２９）を閉鎖して上記筆記先端（１９）を気密的に保持するように構成されている。
【００１８】
上記エアタイトスリーブ（２７）は、内面に上記リフィール（１）の周面に形成した係止部（３０）に弾性的に係合可能な嵌合部（３１）を有し、該嵌合部（３１）は上記リフィール（１）が収納位置にあるとき上記係止部（３０）に気密的に嵌合（係合）している。また、上記リフィール（１）が筆記位置に移動するとき該リフィールの移動に伴ってエアタイトスリーブ（２７）も移動するが、該エアタイトスリーブ（２７）の一部が軸筒の内面等に当って前進動が阻止されると、上記嵌合部（３１）と係止部（３０）の嵌合（係合）は外れ、エアタイトスリーブ（２７）は前進位置に保持され、リフィール（１）のみが前進する。
【００１９】
上記前端開口部（２８）は、斜めに傾斜しており、上記蓋体（２９）は、該前端開口部（２８）の基端に一体的なヒンジ（３２）で揺動可能に設けられ、背面には押圧リブ（３３）が形成されている。先具（５）の内面には該押圧リブ（３３）が摺動する摺動面（３４）が有り、該摺動面（３４）に続く部位には上記押圧リブ（３３）が嵌入するよう窓孔（３５）が設けられている。上記エアタイトスリーブ（２７）が後退位置にあるとき、上記押圧リブ（３３）は上記摺動面（３４）に摺接して上記蓋体（２９）を上記前端開口部（２８）に圧着してこれを閉じている（図３）が、上述のようにエアタイトスリーブ（２７）が前進位置に移動したときは上記押圧リブ（３３）は上記窓孔（３５）に嵌入して蓋体（２９）は揺動し、上記前端開口部（２８）を開放して上記リフィール（１）の筆記先端（１９）を先具（５）の通孔（４）から外方に突出させることができる。そして、上述のように回転カム（１０）が回転しリフィール（１）が筆記位置に保持された状態で筆記することができる。
【００２０】
リフィール（１）をノックして筆記位置から収納位置に後退させると、移動の途中で上記係止部（３０）が嵌合部（３１）に気密的に嵌合（係合）し、上記エアタイトスリーブ（２７）は該リフィール（１）の移動に伴って前進位置から後退位置に戻る。そのとき、上記押圧リブ（３３）は、上記窓孔（３５）から抜け出し、上記摺動面（３４）を摺動し、上記蓋体（２９）は該押圧リブ（３３）により上記前端開口部に圧着され、上記筆記先端（１９）は気密的に保持される。
【００２１】
上記のように蓋体（２９）は、エアタイトスリーブ（２７）の前端開口部（２８）を開閉するが、より確実に閉鎖するためには上記蓋体（２９）及び押圧リブ（３３）を硬質のポリプロピレン等の硬質材料で作り、上記エアタイトスリーブ（２７）の少なくとも前端開口部（２８）を、軟質のポリプロピレン等のプラスチックその他の軟質材料で作るとよい。
【００２２】
上記のような構造として、図４に示す実施例は、上記押圧リブ（３３）及び蓋体（２９）を含む筒状体のエアタイトホルダー（３６）を硬質材料で作り、一方該エアタイトホルダー（３６）を嵌入できるようエアタイトスリーブ本体（３７）を軟質材料で作り、該エアタイトホルダー（３６）をエアタイトスリーブ本体（３７）の外周に嵌着し、突起（３８）と孔（３９）及び凹凸係合部（４０）、（４１）により回り止め状態で固定してある。このようにすれば、図５に示すように硬質材料部分が軸筒の内面に摺接して動きがスム
ーズであり、かつ蓋体（２９）を前端開口部（２８）に確実に密着させることができる。
【００２３】
図６に示す実施例は、硬質材料で上記押圧リブ（３３）及び蓋体（２９）を含む板状のエアタイトプレート（４２）を作り、該エアタイトプレート（４２）を、軟質材料で作ったエアタイトスリーブ本体（４３）の外側面に止着して固定してある。このようにしても、図７に示すように上記蓋体（２９）により前端開口部（２８）を確実にかつ弾性的に開閉することができる。
【００２４】
上記のように硬質材料と軟質材料によりエアタイトスリーブをパーツ化すると、硬質部で摺動の耐久性を向上させ、軟質部で気密性を向上することができる。また、硬質部が軟質部を弾性変形をさせつつ密着するので、蓋体の押圧力やリフィールを後方へ付勢するばね（８）の力を弱くすることも可能となり、軟質部に多少の寸法のバラツキが生じても柔軟性の材料を選択することにより寸法のバラツキを吸収することができる。
【図面の簡単な説明】
【００２５】
【図１】本発明の一実施例を示す断面図。
【図２】回転カムの正面図。
【図３】リフィールを収納位置に移動する際の説明図。
【図４】エアタイトスリーブの構造の一例を示す説明図。
【図５】図４に示すエアタイトスリーブの作動状態を示す説明図。
【図６】エアタイトスリーブの構造の他の一例を示す説明図。
【図７】図６に示すエアタイトスリーブの作動状態を示す説明図。
【符号の説明】
【００２６】
１    リフィール
３    軸筒
６    ストッパー
８    ばね
９    外カム
１０    回転カム
１７    案内カム
２４    緩衝部材
２５    緩衝片
２７    エアタイトスリーブ
２８    前端開口部
２９    蓋体
３３    押圧リブ
３５    窓孔
【図１】
2005193585.tif 000003
【図２】
2005193585.tif 000004
【図３】
2005193585.tif 000005
【図４】
2005193585.tif 000006
【図５】
2005193585.tif 000007
【図６】
2005193585.tif 000008
【図７】
2005193585.tif 000009